(57)【要約】【課題】ドライクリーニングにおける繊維製品等の型崩れを防止し、光沢を保ち、柔軟性を維持あるいは回復する繊維製品等の形状保持方法の提供を目的とする。また、繊維製品等の劣化を抑え防汚効果を付与するドライクリーニング洗浄剤組成物およびドライクリーニング洗浄方法の提供を目的とする。【解決手段】少なくとも一種のロジン樹脂等の熱可塑性樹脂、柔軟剤、ノニオン系界面活性剤および／あるいはアニオン系界面活性剤を含有するドライクリーニング用洗浄剤組成物、およびその組成物を用いかつドライクリーニング処理中および／あるいは処理後に４０℃〜２３０℃の熱処理をするドライクリーニング洗浄方法による。  【選択図】  なし【特許請求の範囲】
【請求項１】
少なくとも一種の熱可塑性樹脂を含有するドライクリーニング用洗浄剤組成物およびドライクリーニング洗浄方法。
【請求項２】
柔軟剤として、シリコン系高分子、カチオン系界面活性剤、スコアラン等の天然加脂剤、流動パラフィンおよび天然潤滑剤からなる化合物群の内の少なくとも一種を含有するする請求項１に記載のドライクリーニング用洗浄剤組成物。
【請求項３】
少なくとも一種のノニオン系界面活性剤および／あるいは少なくとも一種のアニオン系界面活性剤を含有する請求項１に記載のドライクリーニング用洗浄剤組成物。
【請求項４】
該熱可塑性樹脂がロジン樹脂である請求項１に記載のドライクリーニング用洗浄剤組成物。
【請求項５】
少なくとも一種の熱可塑性樹脂を含有するドライクリーニング用洗浄剤組成物でドライクリーニング処理された繊維製品等の被処理物を、有機溶剤で処理することにより、繊維製品等の被処理物より該熱可塑性樹脂を除去できる請求項１に記載のドライクリーニング用洗浄剤組成物。
【請求項６】
請求項１記載のドライクリーニング洗浄剤組成物を用いるドライクリーニング洗浄方法において、ドライクリーニング洗浄処理中および／あるいは処理後に、４０〜２３０℃の熱処理を施すドライクリーニング洗浄方法。
【発明の詳細な説明】
【技術分野】
【０００１】
本発明はドライクリーニング用洗浄剤組成物およびドライクリーニング洗浄方法に関する。更に詳しくは、繊維製品等の型くずれ、ハリ、コシ、光沢、艶の喪失を防止あるいは回復し、更に繊維製品等の劣化を抑え防汚効果を有するドライクリーニング用洗浄剤組成物およびドライクリーニング洗浄方法に関する。
【背景技術】
【０００２】
ドライクリーニングは、洗浄の媒体として水の代わりに有機溶剤を用いて繊維製品等を洗浄する方法であり、有機溶剤（ドライクリーニング溶剤）としては、テトラクロルエチレン、トリクロルエチレン、トリクロルエタン、トリクロルトリフルオロエタンなどのハロゲン化炭化水素系溶剤、あるいはパラフィン、ナフテン、芳香族炭化水素などからなる石油系溶剤などが用いられる。さらに、通常ドライクリーニングにおいては、これらの溶剤と共に、種々の界面活性剤等が配合され、ドライクリーニング用洗浄剤組成物として使用されている。
ドライクリーニング、水洗い、家庭洗濯（これらをクリーニングと称する）における繊維製品等の型崩れは大きな問題になっている。 
例えばドライクリーニングの欠点として、ドライクリーニング溶剤が脱脂性、あるいは油脂分解性溶剤であるため、柔軟性、光沢、艶を与えている繊維製品等に含まれている油脂成分、高分子成分等を除去し、これらの柔軟性、光沢、艶を失うことが挙げられる。  また、繊維製品等の樹脂、繊維加工剤がドライクリーニング溶剤で除去され、ハリ、コシを失い、型くずれが生じることが挙げられる。さらに、ドライクリーニング後に溶剤を乾燥する目的で回転式乾燥機(タンブラー乾燥)により処理する際の加熱と回転によるダメージがあり、シワ、型くずれ、ハリ、コシ等も失われることが挙げられる。
また、水洗い、家庭洗濯の欠点としては、洗剤に用いられる界面活性剤により、繊維製品等が脱脂され、油脂が分解されることにより、さらには脱水時に力が加わることにより型くずれやシワが非常に発生し易いことが挙げられる。
これらのクリーニングにおける繊維製品等の型崩れは、大きな問題になっている。例えば、上衣、コート、シャツ、ブラウスをクリーニングした場合に衿の形や、前身ごろ、肩の型がくずれて、ハリ、コシが無くなる。表地と芯地が剥離し、気泡状になる。ズボンやヒダスカートの折目が消えやすい。シワが取れにくい。柔軟性が無くなる。新品時のハリ、コシ、艶、光沢も失われると言った問題はクリーニング業界の大きな問題である。
【０００３】
さらに、絹、レーヨン等のデリケートな繊維や、和装繊維製品の留袖、紋服、袴、帯、打掛け、十二単衣等はハリ、コシ、艶が無くなる、色の深みが無くなると言った問題もある。又、雨や湿度の高いとき、繊維、紙等は元来(新品時)のハリ、コシが失われ、型くずれ、折目が取れる。中でもデリケートな繊維製品、特に高価な繊維製品の型くずれ、光沢、感触(風合い)の喪失は大きな問題であり、解決が待たれていた。
これらの問題を防ぐことを目的とした、ドライクリーニング専用の糊加工剤は今までにも存在したが、ハリ、コシ、硬さは実現できているが柔軟性、艶、光沢、色の深み、感触が付与されず、ハリ、コシ、艶、光沢、感触、柔軟性の加工はそれぞれ別々に加工が必要と言う欠点があった。
これらの問題を防ぐことを目的としたドライクリーニング専用の糊加工剤は今までにも存在しが、生地がゴワゴワになり、ハリやコシがなくなり、光沢や風合いも戻らないというデメリットが大きかった。水溶液にて使用する糊剤としては、澱粉粉、コーンスターチ、化学繊維糊（エチレン酢酸ビニール）等が一般に使用されているが、水を用いても構わない被加工材に使用が限定されることと、柔軟性に欠けるため使用範囲が限られていた。  さらに、水溶液のため乾燥に時間がかかり速乾性の加工は不可能であった。これらの繊維製品等のハリ、コシ、艶、光沢、感触、柔軟性の喪失、型くずれを防止する、あるいは回復させる技術が待ち望まれていた。
【発明の開示】
【発明が解決しようとする課題】
【０００４】
ドライクリーニングにおける繊維製品等の型崩れを防止し、光沢を保ち、柔軟性を維持あるいは回復する繊維製品等の形状保持を可能にし、繊維製品等の劣化を抑え防汚効果を付与するドライクリーニング洗浄剤組成物およびドライクリーニング洗浄方法の提供を目的とする。
【課題を解決するための手段】
【０００５】
（１）少なくとも一種の熱可塑性樹脂を含有するドライクリーニング用洗浄剤組成物による。  
（２）柔軟剤として、シリコン系高分子、カチオン系界面活性剤、スコアラン等の天然加脂剤、流動パラフィンおよび天然潤滑剤からなる化合物群の内の少なくとも一種を含有するする（１）に記載のドライクリーニング用洗浄剤組成物による。
（３）少なくとも一種のノニオン系界面活性剤および／あるいは少なくとも一種のアニオン系界面活性剤を含有する（１）に記載のドライクリーニング用洗浄剤組成物による。
（４）該熱可塑性樹脂がロジン樹脂である（１）に記載のドライクリーニング用洗浄剤組成物による。
（５）少なくとも一種の熱可塑性樹脂を含有するドライクリーニング用洗浄剤組成物でドライクリーニング処理された繊維製品等の被処理物を、有機溶剤で処理することにより、繊維製品等の被処理物より該熱可塑性樹脂を除去できる（１）に記載のドライクリーニング用洗浄剤組成物による。
（６）前項（１）記載のドライクリーニング洗浄剤組成物を用いるドライクリーニング洗浄方法において、ドライクリーニング洗浄処理中および／あるいは処理後に、４０〜２３０℃の熱処理を施すドライクリーニング洗浄方法による。
【発明の効果】
【０００６】
本発明のドライクリーニング洗浄剤組成物を用いたドライクリーニング処理により、衣服等の繊維製品、装飾品等の紙製品、婦人雑貨等の皮革、獣毛製品などの製品が、クリーニング時、あるいは水に濡れた時に型崩れし、光沢を失い、ハリ、コシを失う等の欠陥の発生を防止する、あるいはこれらの欠陥が発生した後に回復させることができる。つまり新品同様のはり、こし、艶のある風合いを蘇らすことができる。また、これらの劣化を抑え、防汚効果も発揮できる。これにより高価な繊維製品等が１回のクリーニングでくたびれた様になり、価値を失うことを防ぐことができる。しかも、本発明のドライクリーニング洗浄剤で繊維製品等を処理した後、さらに熱可塑性樹脂を含有しない有機溶剤で処理することにより、繊維製品等から熱可塑性樹脂を除去することができる。これにより繊維製品等を所望の性質に処理することが容易である。
【発明を実施するための最良の形態】
【０００７】
以下、本発明について更に詳細に説明する。
【０００８】
本発明で好ましく用いられるドライクリーニング洗浄剤組成物は熱可塑性樹脂、有機溶剤、界面活性剤、柔軟剤、粘度低下剤を含有することが好ましい。
【０００９】
本発明のドライクリーニング洗浄剤組成物に用いられる熱可塑性樹脂は水に溶解せず、有機溶剤に溶解する物が好ましい。合成樹脂、天然樹脂のいずれも好ましいが、天然樹脂の方がより好ましい。天然樹脂の中では、ロジン樹脂が最も好ましい。これらの樹脂を単独、あるいは２種以上を混合して用いることができる。
【００１０】
本発明のドライクリーニング洗浄剤組成物に用いられる熱可塑性合成樹脂としては、例えばフッ素樹脂、アクリル樹脂、ポリアミド樹脂、ポリアクリルアミド樹脂、ポリアミドポリアミン樹脂、塩化ビニル樹脂、ポリカーボネート樹脂、ポリプロピレン樹脂、ポリエチレン樹脂等のポリオレフィン系樹脂、エポキシ樹脂、ポリアセタール樹脂、ポリエステル樹脂、ポリエーテルイミド樹脂、ポリエーテルスルホン樹脂、ポリエーテルエーテルケトン樹脂、ポリフェニレンスルフィド樹脂、ポリスルホン樹脂、ポリアリレート樹脂、ポリエチレンテレフタレート樹脂、ポリエチレンナフタレート樹脂、ポリメチルペンテン樹脂、ＡＢＳ樹脂、酢酸ビニル樹脂、アルキルケテンダイマー、アルケニル無水コハク酸およびポリスチレン樹脂等がある。
【００１１】
また天然系の樹脂としてロジン樹脂、テルペン樹脂等がある。これらの中ではロジン樹脂がより好ましい。
ロジン樹脂としてトールロジン樹脂、ガムロジン樹脂、ウッドロジン樹脂あるいはこれらの変性ロジン樹脂のいずれも好ましく用いられる。これらの好ましく用いられる変性ロジン樹脂としては、アビエチン酸のカルボキシル基を酸素含有基で置換した変成ロジン樹脂、水素化ロジン樹脂、ロジンエステル類およびその誘導体、ロジン−マレイン酸樹脂、ロジン酸ナトリウムあるいはカリウム等のアルカリ金属塩、強化脱カルボキシル化ロジン樹脂、水添ロジンイソステアリン酸グリセリル、フリーの水酸基を有する変性ロジン樹脂、水添ロジンのペンタエリスリトールエステル樹脂等が挙げられる。これらは単独で、或いは２種以上混合して用いることができる。
【００１２】
本発明のドライクリーニング洗浄剤組成物に用いられる有機溶剤としては、石油系溶剤、シリコン系溶剤、ハロゲン系溶剤、および代替フロン溶剤が好ましい。これらの中では安全性の観点から石油系溶剤、シリコン系溶剤がより好ましく。樹脂を溶解し易いことと、低価格であることから石油系溶剤が最も好ましい。石油系溶剤の中では石油系芳香族炭化水素溶剤が最も好ましい。これらは単独で、或いは２種以上混合して用いることができる。
【００１３】
石油系溶剤、としては、例えば、パラフィン、イソパラフィン、ナフテン、キシレン、ジエチルベンゼンが挙げられる。この中で石油系芳香族炭化水素溶剤としてはナフテン、キシレン、ジエチルベンゼンが挙げられる。
シリコン系溶剤としては、ポリジメチルシロキサンとして、オクタメチルトリシロキサン、デカメチルテトラシロキサン等、メチルフェニルポリシロキサンとして、オクタメチルジフェニルシロキサン等、環状ポリシロキサンとして、オクタメチルシクロテトラシロキサン、デカメチルシクロペンタシロキサン等が挙げられる。
また、ハロゲン系溶剤としては、ＣＦＣ−１１３、テトラクロルエチレン、トリクロロエチレン、１，１，２−トリクロロ−１，２，２−トリフルオロエタン、１，１，１−トリクロロエタン、１，１，２−トリクロロエタン、や代替フロン溶剤である１，３−ジクロロ−１，２，２，３，３−ペンタフルオロプロパン、１，１−ジクロロ−１−モノフルオロエタン、ＨＣＦＣ−２２５、ＨＣＦＣ−１４１ｂなどが挙げられる。
【００１４】
さらに本発明で用いることができる有機溶剤としては以下のものも挙げられる。
炭化水素類としては、炭素数５〜１５の鎖状又は環状の飽和又は不飽和炭化水素類が好ましく、例えば、ｎ−ペンタン、２−メチルブタン、ｎ−ヘキサン、２−メチルペンタン、２，２−ジメチルブタン、２，３−ジメチルブタン、ｎ−ヘプタン、２−メチルヘキサン、３−メチルヘキサン、２，３−ジメチルペンタン、２，４−ジメチルペンタン、ｎ−オクタン、２，２，３−トリメチルペンタン、イソオクタン、ｎ−ノナン、２，２，５−トリメチルヘキサン、デカン、ドデカン、１−ペンテン、２−ペンテン、１−ヘキセン、１−ヘプテン、１−ノネン、１−デセン、シクロペンタン、メチルシクロペンタン、シクロヘキサン、メチルシクロヘキサン、エチルシクロヘキサン、パラメンタン、シクロヘキセン、α−ピネン、ジペンテン、デカリン、石油エーテル、石油ベンジン、リグロイン、ガソリン、灯油等が挙げられる。
【００１５】
アルコール類としては、例えば、メタノール、エタノール、１−プロパノール、イソプロパノール、１−ブタノール、２−ブタノール、イソブタノール、ｔ−ブタノール、１−ペンタノール、２−ペンタノール、３−ペンタノール、２−メチル−１−ブタノール、イソペンチルアルコール、ｔ−ペンチルアルコール、３−メチル−２−ブタノール、ネオペンチルアルコール、１−ヘキサノール、２−メチル−１−ペンタノール、４−メチル−２−ペンタノール、２−エチル−１−ブタノール、１−ヘプタノール、２−ヘプタノール、３−ヘプタノール、１−オクタノール、２−オクタノール、２−エチル−１−ヘキサノール、１−ノナノール、１−デカノール、１−ウンデカノール、１−ドデカノール、シクロヘキサノール、メチルシクロヘキサノール、エチレングリコール、プロピレングリコール等が挙げられる。
【００１６】
ケトン類としては、例えば、アセトン、メチルエチルケトン、２−ペンタノン、２−ヘキサノン、メチルイソブチルケトン、２−ヘプタノン、４−ヘプタノン、ジイソブチルケトン、ホロン、イソホロン、シクロヘキサノン、メチルシクロヘキサノン等が挙げられる。エーテル類としては、例えば、ジエチルエーテル、ジプロピルエーテル、イソプロピルエーテル、ジブチルエーテル、テトラヒドロフラン等が挙げられる。
【００１７】
エステル類としては、例えば、ギ酸メチル、ギ酸エチル、ギ酸プロピル、ギ酸ブチル、ギ酸ペンチル、酢酸メチル、酢酸エチル、酢酸プロピル、酢酸イソプロピル、酢酸ブチル、酢酸ペンチル、酢酸イソペンチル、３−メトキシブチルアセテート、酢酸ｓｅｃ−ヘキシル、２−エチルブチルアセテート、２−エチルヘキシルアセテート、酢酸シクロヘキシル、プロピオン酸メチル、プロピオン酸エチル、プロピオン酸ブチル、プロピオン酸イソペンチル、酢酸メチル、酢酸エチル、イソ吉草酸エチル、γ−ブチロラクトン等が挙げられる。
【００１８】
塩素化炭化水素類としては、例えば、塩化メチレン、１，１−ジクロルエタン、１，２−ジクロルエタン、１，１−ジクロルエチレン、１，２−ジクロルエチレン、トリクロルエチレン、テトラクロルエチレンが挙げられる。
【００１９】
本発明のドライクリーニング洗浄剤組成物に粘度を低下する目的でメタノール、エタノール、イソプロピルアルコール等の低級アルコール、エチルセロソルブ等の多価アルコールエステル、低級アルコールのアルキレンオキサイド付加物、グリセリン等を用いることも好ましい。これらは単独で、或いは２種以上混合して用いることができる。
【００２０】
本発明のドライクリーニング洗浄剤組成物には樹脂等の溶解性を上げること、被処理品の柔軟性を上げる目的で界面活性剤を用いることができる。溶解性および浸透性を上げる目的でアニオン系界面活性剤、ノニオン系界面活性剤を用いることが好ましい。これらは単独で、或いは２種以上混合して用いることができる。
【００２１】
本発明のドライクリーニング洗浄剤組成物に用いられるアニオン系界面活性剤としては、たとえば、カルボン酸塩、スルホン酸塩、硫酸エステル塩およびリン酸エステル塩等を挙げることができる。前記カルボン酸塩としては、たとえば、ラウリン酸、ミリスチン酸、パルミチン酸、ステアリン酸、オレイン酸等の炭素数が１２〜１８の脂肪酸のナトリウム塩やカリウム塩である脂肪酸石鹸、あるいはアルキルエーテルカルボン酸塩等を挙げることができる。前記スルホン酸塩としては、たとえば、アルキルベンゼンスルホン酸塩、アルカンスルホン酸塩、ジアルキルスルホコハク酸エステル塩、α−オレフィンスルホン酸塩等を挙げることができる。前記硫酸エステル塩としては、たとえば、硫酸化油、高級アルコール硫酸エステル塩、アルキルエーテル硫酸塩等が挙げられる。前記リン酸エステル塩としては、アルキルエーテルリン酸エステル塩、アルキルリン酸エステル塩等が挙げられる。前記各種のアニオン系界面活性剤の中でも、脂肪酸石鹸、アルキルベンゼンスルホン酸塩、アルカンスルホン酸塩、α−オレフィンスルホン酸塩等が好ましい。
【００２２】
本発明のドライクリーニング洗浄剤組成物に用いられるノニオン系界面活性剤としては、たとえば、ポリオキシエチレンアルキルエーテル、ポリオキシエチレンアルキルフェニルエーテル、ポリオキシエチレンポリオキシプロピレンブロックポリマー、ポリオキシエチレンソルビタン脂肪酸エステル、ポリオキシエチレンソルビトール脂肪酸エステル、ポリエチレングリコール脂肪酸エステル、ポリオキシエチレンアルキルアミン等が好ましい。
【００２３】
本発明のドライクリーニング洗浄剤組成物には柔軟剤としてシリコン系高分子、カチオン系界面活性剤、両性界面活性剤、スコアラン等の天然加脂剤、流動パラフィンおよび天然潤滑剤を用いることが好ましい。これらの中では特にスコアラン等の天然加脂剤、および天然潤滑剤が好ましい。これらは単独で、或いは２種以上混合して用いることができる。
【００２４】
柔軟剤として用いることができる天然加脂剤、および天然潤滑剤としてはスコアラン、牛脂由来のジアルキルジメチルアンモニウムクロライド、あるいはこれの誘導体、また天然層状珪酸塩（スメクタイト）が挙げられる。これらは単独で、或いは２種以上混合して用いることができる。
【００２５】
柔軟剤として用いることができるシリコンオイルとしてはジメチルシリコンオイル、メチルフェニルシリコンオイル、メチルハイドロジェンシリコンオイル、アミン変性シリコンオイル、エポキシ変性シリコンオイル、カルボキシ変性シリコンオイル、カルビノール変性シリコンオイル、メタクリル変性シリコンオイル、メルカプト変性シリコンオイル、フェノール変性シリコンオイル、ポリエーテル変性シリコンオイル、メチルスチリル変性シリコンオイル、アルキル変性シリコンオイル、高級脂肪酸エステル変性シリコンオイル、高級脂肪酸含有シリコンオイル、フッ素変成シリコンオイルが挙げられる。具体的には信越化学工業製のシリコンオイルが挙げられる。これらは単独で、或いは２種以上混合して用いることができる。
柔軟剤として用いられる流動パラフィンは特に限定されるものではないが、有機炭化水素化合物で炭素数が２０以上の飽和炭化水素化合物が好ましい。
【００２６】
柔軟剤に用いることができるカチオン系界面活性剤としては、たとえば  脂肪族４級アンモニウム塩が特に好ましい。非エステル型４級アンモニウム塩、ポリジメチルジアリルアンモニウム塩、カチオン化セルロース、イミダゾリン誘導体、脂肪族アミン塩、脂肪族４級アンモニウム塩等が挙げられる。これらの中では４級アンモニウム塩が好ましい。これらは単独で、或いは２種以上混合して用いることができる。
また、両性界面活性剤としては、たとえば、カルボキシベタイン型を挙げることができる。
【００２７】
本発明で好ましく用いられるドライクリーニング処理工程としては、通常のドライクリーニング処理を用いることができる。ドライクリーニング処理中あるいは処理後に熱処理を施すことが好ましい。熱処理としては、アイロン等の高温物体を圧着する方法、ファンヒーター等で熱風を吹き付ける方法、加熱された容器、部屋に収納し暖める方法、マイクロ波加熱法等を用いることができる。好ましい温度は対象となる繊維製品等の材質に依存するが、４０℃から２３０℃、好ましくは４０℃から２１０℃、さらに好ましくは８０℃から２００℃が最も好ましい。
これにより、本発明のドライクリーニング洗浄剤組成物中の熱可塑性樹脂が繊維間に取りこまれ、繊維製品等のはり、こし、艶、光沢のある風合いを実現し、さらには型くずれを防止し、汚れ防止効果を得ることができる。
【００２８】
本発明のドライクリーニング処理の被処理物としては、衣服等の繊維製品、装飾品等の紙製品、婦人雑貨等の皮革、獣毛製品などの製品が挙げられる。
対象の製品の素材としては、特に限定されないが下記の物が挙げられる。
毛、綿、麻、絹等の天然繊維、アセテート、レーヨン等の再生繊維、ポリエチレン、ポリプロピレン等のポリオレフィン、ポリエチレンテレフタレート、ポリブチレンテレフタレート、ポリエチレンナフタレート、ポリトリメチレンテレフタレート、ポリヘキサメチレンテレフタレート、ポリ（エチレンテレフタレート−ｃｏ−イソフタレート）等のポリエステル、ナイロン−６、ナイロン−６６等のポリアミド、芳香族ポリアミド、ポリアクリロニトリル-、ポリウレタン、フッソ系樹脂、ポリフェニレンサルファイド、ポリ塩化ビニル、ポリ塩化ビニリデン、ポリイミド、ＰＢＯ（ベンザゾール系ポリマー）、ポリ乳酸、セルロース系高分子がある。さらに、種々の動物の皮革、獣毛がある。また、紙、パルプ、竹、木材、不織布等が挙げられる。
【００２９】
以下に本発明の具体例を説明するが、これらに限定されるものではない。 なお、以下の実施例中、部は特に記載が無い限り重量基準である。
【実施例１】
【００３０】
＜本発明のドライクリーニング洗浄剤組成物の作製：洗浄剤組成物Ａ＞
熱可塑性のロジン樹脂１０部、ノニオン界面活性剤（ライオン社製、レオコン５０３０Ｂ、ポリアルキレングリコール系）１部を、４部のイソヘキサンおよび８部のキシレンに溶解し本発明のドライクリーニング洗浄剤組成物Ａを作製した。
【００３１】
＜本発明の洗浄処理＞
キシレンを主体にした石油系ドライクリーニング溶剤に、上記で得られたドライクリーニング用洗浄剤組成物Ａを０．５重量％、柔軟剤としてスクアラン０．１重量％、カルボキシ変性シリコンオイル０．２重量％、流動パラフィン０．３重量％およびカチオン界面活性剤であるラウリルジメチルエチルアンモニウムエトサルフェート０．１重量％、アニオン界面活性剤としてジアルキルスルホコハク酸塩０．３重量％、ノニオン界面活性剤としてポリオキシエチレンアルキニルフェニルエーテル０．３重量％、粘度低下剤としてアルコール類のイソプロパノール３重量％を加え混合溶解しドライクリーニング洗浄剤を得た。  この洗浄剤にウールの紳士物のスーツを浸漬し、攪拌しながら２５℃で１５分間処理した。次いで遠心脱水機を用いて３分間脱液を行ない、常温で乾燥し、１７０℃の温度に加熱したアイロンを圧着し熱処理を施しドライクリーニング処理をしたウールの紳士物のスーツサンプルAを得た。
【００３２】
[比較例１]
＜比較例のドライクリーニング洗浄剤組成物の作製：洗浄剤組成物B＞
ノニオン界面活性剤（ライオン社製、レオコン５０３０Ｂ、ポリアルキレングリコール系）１部を、４部のイソヘキサンおよび８部のキシレンに溶解し比較例のドライクリーニング洗浄剤組成物Bを作製した。
＜比較例の洗浄処理＞
ドライクリーニング用洗浄剤組成物Aの代わりに同組成物Ｂを用いた以外は本発明の洗浄処理と同様の洗浄処理を繰り返し、ドライクリーニング処理をしたウールの紳士物のスーツサンプルBを得た。
【００３３】
＜効果の確認＞
本発明のドライクリーニング洗浄剤組成物を用いたサンプルAは、ドライクリーニング処理によるハリ、コシの低下がなく、型崩れも無く好ましかった。さらに、光沢も深みを増しドライクリーニング処理前よりもむしろ艶を感じさせるようになり好ましかった。泥水で汚してみたが、処理前のスーツ、あるいは下記の比較例のサンプルBに比べ、汚れが落ちやすく好ましかった。
一方、比較例のサンプルBはドライクリーニング処理によりハリ、コシの低下し、型崩れも起こり好ましくなかった。さらに、ドライクリーニング処理前よりかなり光沢、艶も低下した。
＜熱可塑性樹脂の除去＞
上記の本発明サンプルAをキシレンに浸漬し、攪拌しながら２５℃で１５分間処理しサンプルＣを得た。サンプルＣはハリ、コシ、型崩れ、光沢、艶が上記の比較例サンプルBと同様の品質になった。本発明のドライクリーニング洗浄剤組成物中の熱可塑性樹脂の効果は、有機溶剤処理で除去できることを確認できた。